(57)【特許請求の範囲】
【請求項１】
シートを読み取る読取部の上流側に配置され、シートの先端が当接してシートにレジストループを形成する読取前ローラ対と、該読取前ローラ対に向けて湾曲して延びる第１搬送パスと、読取前ローラ対の上流側で前記第１搬送パスに合流した後、読取前ローラ対に向けて湾曲して延びる第２搬送パスと、前記第１搬送パスと前記第２搬送パスとが合流する合流空間と、前記合流空間を通り先端部が前記読取前ローラ対に向けて延びるガイド部材とを備えたシート搬送装置であって、
前記合流空間には前記ガイド部材の先端部の上流側に前記第１搬送パスに沿って案内されるシートのレジストループが形成される第１レジスト空間が、前記ガイド部材の先端部の下流側に前記第２搬送パスに沿って案内されるシートのレジストループが形成される第２レジスト空間がそれぞれ設けられることを特徴とするシート搬送装置。
【請求項２】
前記第１搬送パスは、湾曲した外側ガイド面を有して形成され、
前記第１搬送パスの外側ガイド面と前記ガイド部材との間に前記第１レジスト空間が形成されると共に、
前記第１搬送パスの外側ガイド面と前記ガイド部材の先端部の延長線との間に前記第２レジスト空間が形成される請求項１に記載のシート搬送装置。
【請求項３】
前記読取前ローラ対は、前記第１搬送パスの外側ガイド面側に配置され、回転面が低摩擦部材からなる従動ローラと該従動ローラと圧接し、回転面が高摩擦部材からなる駆動ローラとで構成されている請求項１に記載のシート搬送装置。
【請求項４】
前記第１搬送パス及び第２搬送パスは、シートの表裏を反転して前記読取前ローラ対に案内する請求項１に記載のシート搬送装置。
【請求項５】
前記第２搬送パスには、前記合流空間の上流側に第３レジスト空間が設けられ、該第２搬送パスに沿って案内されるシートのレジストループを前記第２レジスト空間と第３レジスト空間の２箇所で形成させる請求項１に記載のシート搬送装置。
【発明の詳細な説明】
【技術分野】
【０００１】
本発明は、シートの傾きを矯正するためのレジスト空間をシート搬送路に設けたシート搬送装置に関するものである。
【背景技術】
【０００２】
複写機やプリンタなどの画像形成装置やスキャナ、ファクシミリ等に備わる画像読取装置には、原稿（シート）を印字部や読取部などの各処理部に給紙し、ここで処理されたシートを排紙するシート搬送装置を備えている。このようなシート搬送装置は、シートの画像を読み取る読取プラテンを有した画像形成装置や画像読取装置に取り付け可能な搬送ユニットとして構成されている。
【０００３】
前記シート搬送装置には、上段側に設けられる給紙トレイから下段側に設けられる排紙トレイまでの間を繋ぐようにシート搬送路がＵ字状に湾曲して延びており、その間に前記読取プラテンを有した読取部がある。前記シート搬送路には複数の搬送ローラが配置されている。これらの搬送ローラは、給紙トレイに載置されている複数枚のシートを分離する分離ローラ、シートの傾きを矯正するためのレジストローラ、前記読取部を挟んで配置される一対の読取ローラ、読み取りが終了したシートを排紙トレイに向けて搬送する排紙ローラ等を備える。また、シートの表裏を連続して読み取る構成のシート搬送装置にあっては、表面が読み取られたシートを反転させた後に裏面を読取部に向けて搬送させる反転パス及び反転ローラが設けられる。
【０００４】
上記反転機構を備えたシート搬送装置にあっては、シートの表面を読み取るために、給紙トレイから読取部を経由して排紙トレイに至る第１の搬送パスと、前記表面が読み取られたシートを反転させて裏面を前記読取部に向けて再搬送する第２の搬送パスとを備えて構成されている。そして、前記第２の搬送パスは、読取部の上流側で前記第１の搬送パスに合流するようになっている（特許文献１，２）。
【０００５】
特許文献１，２に開示されているシート搬送装置は、給紙トレイからレジストローラに至る第１の搬送パスに第１のレジスト空間を有し、読取部を経て反転したシートを再び読取部に向けて搬送する第２の搬送パスに第２のレジスト空間を有している。また、前記レジストローラと搬送ローラとの間における第１の搬送パスと第２の搬送パスとが合流する箇所に第１乃至第３の切換部材を揺動可能に配置し、この切換部材の案内面とシート搬送路の案内面との間にシートの傾きを矯正する間隔を形成するようになっている。
【先行技術文献】
【特許文献】
【０００６】
【特許文献１】特開２００３−６３６８７号公報
【特許文献２】特開２００３−９５４９０号公報
【発明の概要】
【発明が解決しようとする課題】
【０００７】
上記開示のシート搬送装置にあっては、反転したシートの傾きを矯正する第２のレジスト空間がレジストローラから上流側の離れた位置にあるため、レジストローラを介して読取部に至る間に、シートの傾きが新たに生じてしまうおそれがある。また、第１の搬送パス及び第２の搬送パスを通過するシートが切換部材を揺動させながら接触した状態で搬送されるため、摩擦が大きくなってシートの搬送に支障をきたす場合がある。特に、薄い材質のシートにあっては、シート詰まりを引き起こすおそれがある。このため、前記切換部材の案内面と搬送パスの案内面との間隔を適度に調整する必要があると共に、各案内面の曲率を正確に設定しなければならないといった調整上あるいは設定上の煩わしさがあった。
【０００８】
そこで本発明は、シートの表面の読取搬送及び裏面の読取搬送のいずれの場合においても、シートの傾き矯正を読取部の上流側近傍で行わせることによって、正確且つスムーズに読取処理を行うことのできるシート搬送装置を提供することを目的とする。
【課題を解決するための手段】
【０００９】
上記課題を解決するために、本発明のシート搬送装置は、シートを読み取る読取部の上流側に配置され、シートの先端が当接してシートにレジストループを形成する読取前ローラ対と、該読取前ローラ対に向けて湾曲して延びる第１搬送パスと、読取前ローラ対の上流側で前記第１搬送パスに合流した後、読取前ローラ対に向けて湾曲して延びる第２搬送パスと、前記第１搬送パスと前記第２搬送パスとが合流する合流空間と、前記合流空間を通り先端部が前記読取前ローラ対に向けて延びるガイド部材とを備えたシート搬送装置であって、前記合流空間には前記ガイド部材の先端部の上流側に前記第１搬送パスに沿って案内されるシートのレジストループが形成される第１レジスト空間が、前記ガイド部材の先端部の下流側に前記第２搬送パスに沿って案内されるシートのレジストループが形成される第２レジスト空間がそれぞれ設けられることを特徴とする。
【発明の効果】
【００１０】
本発明のシート搬送装置によれば、第１搬送パスと第２搬送パスとが合流する合流空間を有し、この合流空間を通り読取前ローラ対に向けて延びるガイド部材の先端部の上流側に第１レジスト空間、下流側に第２レジスト空間をそれぞれ形成したことで、第１搬送パスに案内されるシートの表面を読み取るときも、第２搬送パスに案内されるシートの裏面を読み取るときも読取部の直前で同じような精度でシートの傾きを矯正することが可能となった。
【００１１】
また、前記第１レジスト空間及び第２レジスト空間は、外側ガイド面と、シートの搬送に応じて撓み変形可能な第１ガイド部材及び第２ガイド部材とによって形成されるため、シートに無理な力を与えることなく、前記それぞれのレジスト空間に沿った適正なレジストループを形成することができる。
【００１２】
さらに、前記第２搬送パスは、前記第２レジスト空間と、この第２レジスト空間の上流側に第３レジスト空間とを設けることで、シートに２箇所のレジストループが形成でき、シートの傾きをさらに細かく矯正することができる。
【図面の簡単な説明】
【００１３】
【図１】本発明に係るシート搬送装置の要部断面図である。
【図２】上記シート搬送装置の駆動系統図である。
【図３】上記シート搬送装置の給紙動作を示す断面図である。
【図４】上記シート搬送装置の第１レジスト動作を示す断面図である。
【図５】上記シート搬送装置の反転給紙動作を示す断面図である。
【図６】上記シート搬送装置の第２レジスト動作を示す断面図である。
【図７】上記シート搬送装置の第３レジスト動作を示す断面図である。
【図８】上記シート搬送装置の駆動制御フロー図である。
【発明を実施するための形態】
【００１４】
以下、図面を参照しつつ本発明に係るシート搬送装置の実施の形態を詳細に説明する。シート搬送装置１は、図１に示すように、複数枚のシートを載置可能な給紙トレイ３から排紙トレイ４に至るＵ字状に湾曲した第１搬送パス（給紙パス）８と、排紙トレイ４の手前から前記給紙パス８に向けて折り返す第２搬送パス（反転パス）２１とを有する搬送路と、この搬送路上に配置される複数の搬送ローラ対とを有して構成されている。
【００１５】
前記給紙パス８は、給紙トレイ３上に積載されている複数枚のシートから１枚ずつ分離してプラテン５側に送り出すための搬送路である。また、この給紙パス８から読取装置本体２に備わるプラテン５を経由して延びる読取パス９と、この読取パス９から排紙トレイ４に連なる排紙パス１０とが連続している。なお、前記給紙パス８にはシートの搬送をガイドする第１及び第２ガイド部材（フィルム部材）Ｍ１，Ｍ２が設けられている。
【００１６】
前記読取パス８は、第１外側ガイド面８ａと第１内側ガイド面８ｂ及び反転パス２１の第３内側ガイド面２１ｂとでシートを搬送するスペースを形成している。一方、反転パス２１は、第３外側ガイド面２１ａと第３内側ガイド面２１ｂとでシートを搬送するスペースを形成している。前記第１外側ガイド面８ａは、回動支点１８ａに回動可能に支持された開閉カバー１８に設けられ、図中反時計方向に回動操作することによって開放可能となっている。なお、開閉カバー１８は、繰出ローラ１１や給紙ローラ１２が配設されて一体に回動するようになっている。
【００１７】
前記複数の搬送ローラ対は、給紙トレイ３からシートを繰り出すための繰出ローラ１１と、繰り出されたシートを給紙パス８に送り出す給紙ローラ１２と、プラテン５の手前でシートを整合させる読取前ローラ対１３と、読取パス９に沿ってシートを搬送させる読取後ローラ対１４と、シートを排紙トレイ４に排紙すると共に、反転パス２１にスイッチバックさせるための反転排紙ローラ対１５とによって構成されている。
【００１８】
前記繰出ローラ１１は、整合板１７に突き当てて整合した状態で給紙トレイ３に載置されたシートの上面に接触してシートを繰り出す。なお、整合板１７は繰出ローラ１１がシートを繰り出す際にはシートへの規制を解除するように構成されている。給紙ローラ１２は、繰出ローラ１１にて繰り出されたシートを分離部材と協働して１枚に分離して給紙パス８に向けて送り出す。
【００１９】
前記読取前ローラ対１３は駆動ローラ１３ａと従動ローラ１３ｂ、読取後ローラ対１４は駆動ローラ１４ａと従動ローラ１４ｂ、排紙ローラ対１５は駆動ローラ１５ａと従動ローラ１５ｂによって構成されている。本実施形態では、プラテン５に近い位置に読取前ローラ対１３を配置させたことによって、この読取前ローラ対１３に給紙されたシートのレジストを行うと共に、プラテン５を挟んで対向する読取後ローラ対１４とでシートの読取時における搬送を行うようになっている。なお、前記駆動ローラ１３ａ，１４ａ，１５ａは、シートとのすべりを防止して送り動作を安定させるために回転面に高摩擦部材が使用され、従動ローラ１３ｂ，１４ｂ，１５ｂは、シートの案内が容易となるように回転面に低摩擦部材が使用される。
【００２０】
また、制御系の構成として、給紙トレイ３上にシートが載置されたことを検出するエンプティセンサＳ１が配置され、給紙パス８内における読取前ローラ対１３の手前には給紙されるシートの端部を検出するレジストセンサＳ２が配置されている。これらの各センサＳ１，Ｓ２は、シート搬送装置１全体の動作を制御するＣＰＵを備える制御部（図示せず）に接続されており、各センサＳ１，Ｓ２からの検知信号に基づいて、図２に示す駆動モータＭＯＴ及び第１、第２の電磁クラッチＣＬ１、ＣＬ２が制御される。
【００２１】
次に、前記給紙パス８の内部構成について説明する。この給紙パス８には、図１に示したように、反転排紙ローラ対１５から延びる反転パス２１が湾曲して合流する合流位置（合流点）Ｊを有し、この合流点Ｊの近傍が上流側よりもシートをガイドする間隔を広くして形成されている。前記フィルム部材Ｍ１は、合流点Ｊの上流側を基点として設けられ、先端部がこの合流点Ｊの近傍まで延びている。つまり、前記フィルム部材Ｍ１は、シートを案内する面を延長した先が前記第１外側ガイド面８ａと前記合流点Ｊとの間の近傍において交差するように設けられる。また、フィルム部材Ｍ２は、前記合流点Ｊを基点として先端部を下流側の読取前ローラ対１３に向けて配置される。つまり、前記フィルム部材Ｍ２は、シートを案内する面を延長した先が前記読取前ローラ対１３の従動ローラ１３ｂの周面又は近傍に向かうようにして設けられる。したがって、フィルム部材Ｍ２の一側面は給紙パス８の内側ガイドとなっており、他面側が反転パス２１の外側ガイドとなり、シートの先端が低摩擦の樹脂で形成された従動ローラ１３ｂに当接しつつスムーズに読取前ローラ対１３のニップ部に導かれる。なお、前記フィルム部材Ｍ１は厚手のシートをレジストする場合に、シートのコシによって第１外側ガイド面８ａ側に移動するように撓みやすく柔軟性を有した材質のものを使用するのが好ましい。これによって、曲率の大きなレジストループが形成できるので、シートのコシの強さによって、シートの先端が読取前ローラ対１３のニップ部ｎ１から下流側に飛び出すことなく、厚みの異なるシートであっても適正にレジストを行うことができる。
【００２２】
一方、フィルム部材Ｍ２は、給紙パス８を通過するシートと反転パス２１を通過するシートの共通のガイド面となるため、前記フィルム部材Ｍ１よりも撓み量の少ない剛性を有したフィルム材を使用するのが好ましい。なお、前述したように、読取前ローラ対１３の従動ローラ１３ｂは低摩擦の樹脂で形成されているため、前記フィルム部材Ｍ２によってシートの先端が従動ローラ１３ｂに当接しつつスムーズにニップ部ｎ１に導かれるように従動ローラ１３ｂの周面又は近傍に向けてシートを案内することができる。
【００２３】
前記フィルム部材Ｍ１，Ｍ２の前方には、給紙パス８の上流側よりも広いシート搬送スペースを有した第１レジスト空間ＳＰ１と、その下流側に第２レジスト空間ＳＰ２が設けられる。第１レジスト空間ＳＰ１は、フィルム部材Ｍ１の先端側に位置する第１外側ガイド面８ａを外方向に迫り出すようにして形成され、前記フィルム部材Ｍ１の延長線と第１外側ガイド面８ａの間に設けられる。また、第２レジスト空間ＳＰ２は、フィルム部材Ｍ２の先端側に位置する第２外側ガイド面９ａを同じく外方向に迫り出すようにして形成され、前記フィルム部材Ｍ２の延長線と第２外側ガイド面９ａの間に設けられる。
【００２４】
前記第１レジスト空間ＳＰ１は、図４に示すように、給紙トレイ３から送り出されてくるシートの先端が読取前ローラ対１３のニップ部ｎ１に突き当たり、第１外側ガイド面８ａに沿うように撓み変形させてレジストループを生じさせることで、シートの傾きを矯正するようになっている。また、前記第２レジスト空間ＳＰ２は、図６に示すように、反転パス２１から再搬送されてくるシートの先端がフィルム部材Ｍ２によって案内されて読取前ローラ対１３のニップ部ｎ１に突き当たり、第２外側ガイド面９ａに沿うように撓み変形させてレジストループを生じさせることで、シートの傾きを矯正するようになっている。
【００２５】
また、図１に示したように、反転パス２１は反転排紙ローラ対１５から合流点Ｊに向けて延びる第３外側ガイド面２１ａと、この第３外側ガイド面２１ａと並行して読取前ローラ対１３に向けて延びる第３内側ガイド面２１ｂとで構成されている。そして、この反転パス２１にも第３レジスト空間ＳＰ３が設けられる。この第３レジスト空間ＳＰ３は、図７に示すように、反転排紙ローラ対１５に近い第３内側ガイド面２１ｂを外側に迫り出させることによって形成されている。そして、前記第３内側ガイド面２１ｂに沿ってフィルム部材Ｍ３が配置される。このフィルム部材Ｍ３は、反転パス２１の下流側を基点として上流側に向けて延ばすことによって、排紙反転ローラ対１５の逆回転によって下流側にスイッチバックするシートとを分離する役割を有している。なお、フィルム部材Ｍ３は、その上流から搬送されるシートによって撓むことで通過が容易になっている。
【００２６】
前記第３レジスト空間ＳＰ３を反転パス２１に設けることで、レジストループ量が大きく第２レジスト空間ＳＰ２でレジスト量が解消できない場合に有効となる。
【００２７】
前記反転パス２１は、給紙パス８に合流する第２内側ガイド面９ｂの湾曲部分がその上流側及び出口側よりも広くすることによって、シートの搬送をスムーズに行わせることができる。また、前記給紙パス８との合流点Ｊに向けて、第３外側ガイド面２１ａと第２内側ガイド面２１ｂとの間隔を次第に狭くして形成することで、フィルム部材Ｍ２によってガイドされるシートの搬送方向のばらつきを抑えることができる。
【００２８】
次に、図８に基づき、また、図２乃至図７を参照しつつ、シートの搬送駆動の詳細について説明する。先ず、シートＰの片面（表面）を読み取る片面読取動作については、エンプティセンサＳ１がＯＮ状態、すなわち給紙トレイ３上にシートＰが載置されたことが検知されると、駆動モータＭＯＴが正転駆動し、同時に第１の電磁クラッチＣＬ１をＯＮにする（ＳＴ１〜ＳＴ２）。これによって、繰出ローラ１１及び給紙ローラ１２が回転駆動し、給紙トレイ３上のシートＰが給紙される（図３参照）。そして、レジストセンサＳ２がシートＰの先端を検出すると、レジスト動作１が実行される（ＳＴ３，ＳＴ４）。
【００２９】
レジスト動作１では、電磁クラッチＣＬ２をＯＦＦにして、読取前ローラ対１３の回転を停止する。同時に駆動モータＭＯＴの駆動パルス数のカウントを開始し、パルス数が所定のパルス数（パルスＡ）に到達すると電磁クラッチＣＬ１をＯＦＦにする（ＳＴ３２〜ＳＴ３３）。これによって、繰出ローラ１１及び給紙ローラ１２は一旦停止される。このとき、シートＰの先端は読取前ローラ対１３のニップ部ｎ１に突き当てられて撓み変形することでレジストループが形成されて先端が整合し、傾き（スキュー）が矯正される。つまり、上述の所定パルス数（パルスＡ）は、レジストセンサＳ２の検出位置から読取前ローラ対１３のニップ部ｎ１に至る距離と所望のレジストループを形成する距離とを加算した距離に相当する駆動モータＭＯＴの駆動パルス数となる。本実施の形態ではレジストループを形成する距離を約５ｍｍとし、読取前ローラ対１３のニップ部ｎ１にシートの先端が突き当たってから５ｍｍだけ更に送るように駆動される（図４参照）。
【００３０】
このレジスト動作１の後、シートＰの先端が読取前ローラ対１３のニップ部ｎ１に突き当てた状態で電磁クラッチＣＬ２をＯＮ（ＳＴ５）する。これによって、読取前ローラ対１３が回転駆動し、シートＰはプラテン５に向けて搬送される。前記読取前ローラ対１３によってプラテン５に搬送されたシートＰはこのプラテン５の上面に沿って進み、読取後ローラ対１４及び反転排紙ローラ対１５によって排紙トレイ４に排紙される。このプラテン５の上面に沿って搬送される過程でシートＰは読取処理される。また、電磁クラッチＣＬ２をＯＮした後、読取前ローラ対１３、読取後ローラ対１４及び反転排紙ローラ対１５で搬送されるシートＰの後端がレジストセンサＳ２によって検出されると、再び電磁クラッチＣＬ１をＯＮして次のシートの給紙を開始させる（ＳＴ６，ＳＴ２）。
【００３１】
シートＰの両面（表裏）を読み取る両面読取動作については、給紙トレイ３にシートＰが載置されたことがエンプティセンサＳ１で検知されると、駆動モータＭＯＴを正転駆動し、電磁クラッチＣＬ１をＯＮする（ＳＴ１１〜ＳＴ１２）。これによって、繰出ローラ１１及び給紙ローラ１２が回転駆動してシートＰを給紙する。そして、上記片面読取動作と同様にレジストセンサＳ２がシートＰの先端を検出した時点でレジスト動作１が実行され、シートＰの先端が整合される（ＳＴ１３、ＳＴ１４）。
【００３２】
レジスト動作１によってシートＰの先端が整合されると電磁クラッチＣＬ２をＯＮし、読取前ローラ対１３によってプラテン５上にシートＰを搬送して通過させる（ＳＴ１５）。前記プラテン５を通過する過程でシートＰの表面が読み取られる。プラテン５を通過したシートＰは、読取後ローラ対１４及び反転排紙ローラ対１５によって排紙トレイ４側に搬送される。そして、レジストセンサＳ２がシートＰの後端を検知した時点から駆動モータＭＯＴの駆動パルス数をカウントし、このカウント値が所定パルス数（パルスＢ）に到達した時点で駆動モータＭＯＴを正転駆動から逆転駆動に切り換える（ＳＴ１６〜ＳＴ１８）。これによって、反転排紙ローラ対１５が正転から逆転に切り換わり、反転パス２１でシートＰがスイッチバックされる。前記所定のパルス数（パルスＢ）はレジストセンサＳ２からフィルム部材Ｍ３と反転排紙ローラ対１５の間の所定位置に至る距離に相当する駆動モータＭＯＴの駆動パルス数である。
【００３３】
反転排紙ローラ対１５によってスイッチバックされたシートＰは反転パス２１に沿って読取前ローラ対１３に向けて搬送される。そして、シートＰの先端が再びレジストセンサＳ２で検出されると、次に示すレジスト動作２が実行される（ＳＴ１９〜ＳＴ２０）。
【００３４】
レジスト動作２では、電磁クラッチＣＬ２をＯＦＦし、読取前ローラ対１３の回転を停止する（ＳＴ４１）。同時に駆動モータＭＯＴの駆動パルス数のカウントを開始し、パルス数が所定のパルス数（パルスＡ）に到達するまで駆動モータＭＯＴを逆転駆動させる（ＳＴ４２）。これによって、シートＰの先端は読取前ローラ対１３のニップ部ｎ１に突き当てられ、第２レジスト空間ＳＰ２にてレジストループが形成されることでシートＰの先端が整合される（図５−６参照）。駆動モータＭＯＴのパルス数が所定のパルス数（パルスＡ）に到達すると、駆動モータＭＯＴを逆転駆動から正転駆動に切り換える（ＳＴ４３）。
【００３５】
前記レジスト動作２が実行されると、電磁クラッチＣＬ２をＯＮする（ＳＴ２１）。これによって、読取前ローラ対１３が正転駆動し、シートＰは反転しつつプラテン５上に搬送され、シートＰの裏面が読み取られる。その後、裏面の読取が終了したシートＰの後端がレジストセンサＳ２によって検出され、所定パルス数（パルスＢ）だけシートＰが搬送されると、駆動モータＭＯＴを正転から逆転に切り換える（ＳＴ２２〜ＳＴ２４）。その後、反転排紙ローラ対１５が正転から逆回転に切り換わる。そして、反転排紙ローラ対１５の回転方向が切り換わることによって、シートＰが反転パス２１上で再びスイッチバックされ、この反転パス２１に沿って読取前ローラ対１３に向けて搬送される（図７参照）。そして、レジストセンサＳ２がシートＰの先端を検出すると、レジスト動作２が再実行される（ＳＴ２５〜ＳＴ２６）。
【００３６】
レジスト動作２の実行後、電磁クラッチＣＬ２をＯＮする（ＳＴ２７）。これによって、読取前ローラ対１３が回転駆動し、シートＰが反転してプラテン５に搬送される。そして、シートＰがプラテン５を通過した後、読取前ローラ対１３、読取後ローラ対１４及び反転排紙ローラ対１５によって排紙トレイ４に搬送される。なお、ＳＴ２５〜２７の動作は排紙トレイ４に収容されるシートＰの頁順を揃えるための動作である。このため、ここではプラテン５を通過するシートＰの読取処理は行われない。そして、頁揃えのために反転したシートＰの後端がレジストセンサＳ２によって検出されると、再び電磁クラッチＣＬ１をＯＮして次のシートＰの給紙を開始させる（ＳＴ２８、ＳＴ１２）。
【００３７】
なお、本実施形態では、第１乃至第３のレジスト空間を持たせているが、シートによっては、反転パス２１の第３レジスト空間ＳＰ３を省略した構成であっても、第２レジスト空間ＳＰ２によってシートの傾きを十分に矯正することが可能である。
【００３８】
以上説明したように、本発明のシート搬送装置は、シートの表面の読取搬送及びシートの裏面の読取搬送を行う際のレジスト空間をそれぞれ読取部の上流側近傍に設けたことによって、シートの傾き矯正を読取部の直前で実施することができる。これによって、シートの読取処理の精度を一層向上させることが可能となった。また、前記それぞれのレジスト空間にシートをフィルム部材によって案内するため、シートのガイドをスムーズに行わせることができると共に、各レジスト空間におけるシートのレジストループを滑らかに生じさせることができる。
【符号の説明】
【００３９】
１  シート搬送装置
２  読取装置本体
３  給紙トレイ
４  排紙トレイ
５  プラテン（読取部）
８  給紙パス（第１搬送パス）
８ａ  第１外側ガイド面
８ｂ  第１内側ガイド面
９  読取パス
９ａ  第２外側ガイド面
９ｂ  第２内側ガイド面
１０  排紙パス
１１  繰出ローラ
１２  給紙ローラ
１３  読取前ローラ対
１４  読取後ローラ対
１５  反転排紙ローラ対
１７  整合板
１８  開閉カバー
２１  反転パス（第２搬送パス）
２１ａ  第３外側ガイド面
２１ｂ  第３内側ガイド面
Ｍ１，Ｍ２，Ｍ３  フィルム部材
ＳＰ１  第１レジスト空間
ＳＰ２  第２レジスト空間
ＳＰ３  第３レジスト空間
Ｊ  合流点（合流位置）
ｎ１  ニップ部
Ｐ  シート
【図１】
0005755926.tif 000002
【図２】
0005755926.tif 000003
【図３】
0005755926.tif 000004
【図４】
0005755926.tif 000005
【図５】
0005755926.tif 000006
【図６】
0005755926.tif 000007
【図７】
0005755926.tif 000008
【図８】
0005755926.tif 000009